(57)【要約】【課題】主に、流動食などに用いる注出口付きパウチにおいて、希釈液や飲料水などをパウチに注入して患者等に投与する際に、その開口が安定しており、注入の操作性が良く、容易に希釈液や飲料水などをパウチに注入して患者等に投与することのできる注出口付きパウチを提供する。【解決手段】少なくとも２枚の積層フィルムを貼り合せ、かつ前記フィルムの外周縁をシールしてなるパウチであって、該パウチの前記外周縁の一部にプラスチックの成型品からなる注出口が取付けられる注出口付きパウチにおいて、該注出口付きパウチは、内容物を収容する収容部と、外部より水等を注入するための開口部とを有し、かつ該開口部を水平に横切って開閉封自在なジッパが形成された注出口付きパウチであって、前記開口部の左右に、僅かなシール幅を残し、切欠き部を形成したことを特徴とする、注出口付きパウチである。【選択図】図１
2007314245.tif 000002
【特許請求の範囲】
【請求項１】
少なくとも２枚の積層フィルムを貼り合せ、かつ前記フィルムの外周縁をシールしてなるパウチであって、該パウチの前記外周縁の一部にプラスチックの成型品からなる注出口が取付けられてなる注出口付きパウチにおいて、
該注出口付きパウチは、内容物が収容される未シール部からなる収容部と、上部シール部分に外部より飲料水等を注入するための開口部とを有し、かつ前記開口部に開閉封自在なジッパを形成し、さらには、前記パウチを吊り下げるための吊下げ孔をシール部分に形成した注出口付きパウチであって、前記開口部の左右に僅かなシール幅を残し、前記シールの一部を切り取った形状からなる切欠き部を形成したことを特徴とする、注出口付きパウチ。
【請求項２】
前記切欠き部は、前記パウチの上部シールの略中央部分に形成したことを特徴とする、請求項１記載の、注出口付きパウチ。
【請求項３】
前記切欠き部は、前記パウチの上部シールの左側若しくは右側部分に形成したことを特徴とする、請求項１乃至２記載の、注出口付きパウチ。
【請求項４】
前記切欠き部は、前記パウチの上部シールの左側及び右側部分に形成したことを特徴とする、請求項１乃至３記載の、注出口付きパウチ。
【請求項５】
前記切欠き部は、前記吊下げ孔と前記開口部との間に形成したことを特徴とする、請求項１乃至４記載の、注出口付きパウチ。
【請求項６】
前記切欠き部は、前記ジッパの左右に形成したことを特徴とする、請求項１乃至５記載の注出口付きパウチ。
【請求項７】
前記切欠き部は、前記ジッパの左右、かつ、上若しくは下に形成したことを特徴とする、請求項１乃至６記載の注出口付きパウチ。
【請求項８】
前記切欠き部は、前記上部シールの上辺を含み切欠いたことを特徴とする、請求項１乃至７記載の、注出口付きパウチ。
【請求項９】
前記注出口は、前記パウチの中心より下方に形成され、かつ、前記開口部および前記吊下げ孔は、前記パウチの中心より上方に形成されることを特徴とする、請求項１乃至８記載の注出口付きパウチ。
【請求項１０】
前記開口部に、該開口部を横切る切取り線を形成し、かつ該切取り線は、前記吊下げ孔上方のシール部上辺の延長線部分に形成したことを特徴とする、請求項１乃至９記載の、注出口付きパウチ。
【請求項１１】
前記開口部に、該開口部を横切る切取り線を形成し、かつ該切取り線は、前記吊下げ孔上方のシール部上辺の延長線部分より上方に形成したことを特徴とする、請求項１乃至１０記載の、注出口付きパウチ。
【請求項１２】
前記開口部の横幅は、５０ｍｍ〜１５０ｍｍの範囲であることを特徴とする、請求項１乃至１１記載の注出口付きパウチ。
【請求項１３】
前記開口部の左右に形成された、前記僅かなシール幅は、５ｍｍ〜１０ｍｍの範囲であることを特徴とする、請求項１乃至１２記載の、注出口付きパウチ。
【請求項１４】
前記ジッパは、側面視Ｖ字形状をなしており、下方の頂点部分に弱化部を有することを特徴とする、請求項１乃至１３記載の注出口付きパウチ。
【請求項１５】
前記ジッパの下方に、弱シール部を形成したことを特徴とする、請求項１乃至１４記載の注出口付きパウチ。
【請求項１６】
前記パウチは、自立性の形状からなるスタンドパウチであることを特徴とする、請求項１乃至１５記載の注出口付きパウチ。
【請求項１７】
前記スタンドパウチは、該スタンドパウチの下方に自立するための自立面を有するとともに、前記注出口は、前記スタンドパウチの中心より下方に形成され、かつ前記開口部および前記吊下げ孔は、前記スタンドパウチの上方に形成されることを特徴とする、請求項１６記載の注出口付きパウチ。
【発明の詳細な説明】
【技術分野】
【０００１】
本発明は、注出口付きパウチに関し、特に栄養剤や流動食などの液状の内容物を安全に密封包装し、保存できるとともに流動食の使用時には、パウチに取付けられた注出口に供給チューブを連結して安全かつ衛生的に患者等に投与することができ、また、流動食の使用時に希釈液を注入して濃度などの調整を行ない、或いは、使用後に飲料水などを注入して患者等に投与する際にも使い勝手が良く衛生的に使用することのできる注出口付きパウチに関する。
【背景技術】
【０００２】
従来、病院等の医療機関で患者等に流動食を投与するために用いる流動食用の容器としては、使用の都度、流動食を専用の供給用容器に移し替える必要がなく、また、使用後の容器の洗浄などの手間を省き、使い勝手をよくするため、使い捨てタイプの注出口付きパウチが使用されるようになってきている。このような注出口付きパウチは、通常、流動食を密封した後、加圧過熱殺菌処理が施され、使用時には、注出口を開封して、そこに供給チューブを連結して患者等に流動食を投与するものであり、このとき、必要に応じて、パウチの上部に形成された開口部より、希釈液を注入して、流動食の濃度などの調整が行なわれ、また、流動食の投与後には、この注出口付きパウチに飲料水などを注入して、流動食と同様に飲料水を衛生的に投与することができる（例えば特許文献１）。
【０００３】
しかし、パウチの上部に設けられる開口部は、パウチが積層フィルムで柔軟性のある材料であるため、開口させた開口部の開口が安定せず、希釈液や飲料水などを注入する際に、開口部分を両手で補助しつつ開口を形成、維持する必要があった。このため、飲料水等を安全かつ衛生的に注入することが困難であった。
【０００４】
また、従来、パウチに飲料水などを注入した後は、開口部の引き出した側面フィルムを再度、内側に折り返すように押し込んで畳み込むことにより、開口部を閉じた状態に保持して、雑菌等の混入を防止する（例えば特許文献２）。
【０００５】
しかし、このように、使用後のフィルムを折りたたみ密閉する方法では、密閉の状態が不安定であるばかりでなく、折込みが緩んでしまい、再度開封してしまう恐れがあった。
【０００６】
また、注出口付きパウチの別例としては、図１６に示すような、自立可能な形状を有するスタンドパウチＡが知られている。このスタンドパウチＡは、パウチ下方に自立面Ｆを有するとともに吊下げ孔Ｒを有し、他方、パウチの上方には、注出口Ｂと、キャップ付き開口部Ｃとが形成されている。
そして、使用前に内容物を希釈する際には、パウチＡを机上に自立させた状態で、開口部Ｂから希釈液等を注入することができる。しかしながら、パウチＡの使用時において、スタンド等に吊下げ孔を掛けると、図１７に示すように、開口部Ｃが側方を向いてしまうため、開口部Ｃより飲料水等を注入しずらいという問題があった。
【０００７】
【特許文献１】特開２００２−１９３２７５号公報
【特許文献２】特開２００２−２５５１９９号公報
【発明の開示】
【発明が解決しようとする課題】
【０００８】
本発明は、このような問題点を解決するためになされたものであり、その課題は、主に、流動食などに用いる注出口付きパウチにおいて、希釈液や飲料水などをパウチに注入して患者等に投与する際にもその開口が安定しており、注入の操作性が良く、容易に希釈液や飲料水などをパウチに注入して患者等に投与することのできる注出口付きパウチを提供することである。さらには、開口部を開封した後、再度開口部を密閉する際に、確実に密閉可能な、注出口付きパウチを提供することである。
【０００９】
さらには、パウチの開口部を片手で把持して、簡単に開口部をがま口状に開封することが可能な注出口付きパウチを提供することである。
【００１０】
また、パウチの吊下げ時において、開口部の向きが上方を向くように構成して、注入操作を良好とする注出口付きパウチを提供することである。
【００１１】
また、スタンドパウチにおいては、自立時の開口部の向きと、吊下げ時の開口部の向きとが、ともに上方を向くように構成して、常に開口部からの注入操作を良好とする注出口付きパウチを提供することである。
【課題を解決するための手段】
【００１２】
そこで、これらの課題を解決するため、本発明の請求項１記載の発明は、少なくとも２枚の積層フィルムを貼り合せ、かつ前記フィルムの外周縁をシールしてなるパウチであって、該パウチの前記外周縁の一部にプラスチックの成型品からなる注出口が取付けられてなる注出口付きパウチにおいて、
該注出口付きパウチは、内容物が収容される未シール部からなる収容部と、上部シール部分に外部より飲料水等を注入するための開口部とを有し、かつ前記開口部に開閉封自在なジッパを形成し、さらには、前記パウチを吊り下げるための吊下げ孔を前記上部シールに形成した注出口付きパウチであって、前記開口部の左右に、僅かなシール幅を残し、前記シールの一部を切り取った形状からなる切欠き部を形成したことを特徴とする、注出口付きパウチである。
【００１３】
また、本発明の請求項２記載の発明は、前記切欠き部は、前記パウチの上部シールの略中央部分に形成したことを特徴とする、注出口付きパウチである。
【００１４】
また、本発明の請求項３記載の発明は、前記切欠き部は、前記パウチの上部シールの左側若しくは右側部分に形成したことを特徴とする、注出口付きパウチである。
【００１５】
また、本発明の請求項４記載の発明は、前記切欠き部は、前記パウチの上部シールの左側及び右側部分に形成したことを特徴とする、注出口付きパウチである。
【００１６】
また、本発明の請求項５記載の発明は、前記切欠き部は、前記吊下げ孔と前記開口部との間に形成したことを特徴とする、注出口付きパウチである。
【００１７】
また、本発明の請求項６記載の発明は、前記切欠き部は、前記ジッパの左右に形成したことを特徴とする、注出口付きパウチである。
【００１８】
また、本発明の請求項７記載の発明は、前記切欠き部は、前記ジッパの左右、かつ、上若しくは下に形成したことを特徴とする、注出口付きパウチである。
【００１９】
また、本発明の請求項８記載の発明は、前記切欠き部は、前記上部シールの上辺を含み切欠いたことを特徴とする、注出口付きパウチである。
【００２０】
また、本発明の請求項９記載の発明は、前記注出口は、前記パウチの中心より下方に形成され、かつ、前記開口部および前記吊下げ孔は、前記パウチの中心より上方に形成されることを特徴とする、注出口付きパウチである。
【００２１】
また、本発明の請求項１０記載の発明は、前記開口部に、該開口部を横切る切取り線を形成し、かつ該切取り線は、前記吊下げ孔上方のシール部上辺の延長線部分に形成したことを特徴とする、注出口付きパウチである。
【００２２】
また、本発明の請求項１１記載の発明は、前記開口部に、該開口部を横切る切取り線を形成し、かつ該切取り線は、前記吊下げ孔上方のシール部上辺の延長線部分より上方に形成したことを特徴とする、注出口付きパウチである。
【００２３】
また、本発明の請求項１２記載の発明は、前記開口部の横幅は、５０ｍｍ〜１５０ｍｍの範囲であることを特徴とする、注出口付きパウチである。
【００２４】
また、本発明の請求項１３記載の発明は、前記開口部の左右に形成された、前記僅かなシール幅は、５ｍｍ〜１０ｍｍの範囲であることを特徴とする、注出口付きパウチである。
【００２５】
また、本発明の請求項１４記載の発明は、前記ジッパは、側面視Ｖ字形状をなしており、下方の頂点部分に弱化部を有することを特徴とする、注出口付きパウチである。
【００２６】
また、本発明の請求項１５記載の発明は、前記ジッパの下方に、弱シール部を形成したことを特徴とする、注出口付きパウチである。
【００２７】
また、本発明の請求項１６記載の発明は、前記パウチは、自立性の形状からなるスタンドパウチであることを特徴とする、注出口付きパウチである。
【００２８】
また、本発明の請求項１７記載の発明は、前記スタンドパウチは、該スタンドパウチの下方に自立するための自立面を有するとともに、前記注出口は、前記スタンドパウチの中心より下方に形成され、かつ前記開口部および前記吊下げ孔は、前記スタンドパウチの上方に形成されることを特徴とする、注出口付きパウチである。
【発明の効果】
【００２９】
上記課題を解決すべく、本発明の請求項１記載の発明は、少なくとも２枚の積層フィルムを貼り合せ、かつ前記フィルムの外周縁をシールしてなるパウチであって、該パウチの前記外周縁の一部にプラスチックの成型品からなる注出口が取付けられてなる注出口付きパウチにおいて、
該注出口付きパウチは、内容物が収容される未シール部からなる収容部と、上部シール部分に外部より飲料水等を注入するための開口部とを有し、かつ前記開口部に開閉封自在なジッパを形成し、さらには、前記パウチを吊り下げるための吊下げ孔を前記上部シールに形成した注出口付きパウチであって、前記開口部の左右に、僅かなシール幅を残し、前記シールの一部を切り取った形状からなる切欠き部を形成したことを特徴とするから、開口部に開閉封自在なジッパを形成して、使用後のパウチを確実に密閉状態に保持することができ、雑菌などの混入を防ぐことができるとともに、切欠き部に指等を挿入し、開口部を片手で把持して、開口部をがま口状に開くことができるから、希釈液や飲料水などの注入操作を一層容易に行なうことができる。
【００３０】
また、本発明の請求項２記載の発明は、前記切欠き部は、前記パウチの上部シールの略中央部分に形成したことを特徴とするから、上部シールの略中央部分に形成された切欠き部に指を挿入し、前記開口部を片手で把持して開口操作することが可能である。
【００３１】
また、本発明の請求項３記載の発明は、前記切欠き部は、前記パウチの上部シールの左側若しくは右側部分に形成したことを特徴とするから、上部シールの左側若しくは右側部分に形成された切欠き部に指を挿入し、前記開口部を片手で把持して開口操作することが可能である。
【００３２】
また、本発明の請求項４記載の発明は、前記切欠き部は、前記パウチの上部シールの左側及び右側部分に形成したことを特徴とするから、上部シールに形成された左右の切欠き部に指を挿入し、前記開口部を片手で把持して開口操作することが可能である。
【００３３】
また、本発明の請求項５記載の発明は、前記切欠き部は、前記吊下げ孔と前記開口部との間に形成したことを特徴とするから、前記吊下げ孔と前記開口部との間に形成された切欠き部にそれぞれ指を挿入し、前記開口部を片手で把持して開口操作することが可能である。
【００３４】
また、本発明の請求項６記載の発明は、前記切欠き部は、前記ジッパの左右に形成したことを特徴とするから、ジッパの左右に形成された切欠き部にそれぞれ指を挿入し、前記開口部を片手で把持して開口操作することが可能である。さらには、剛性の高いジッパ部分を片手で把持することにより、安定して開口部を把持することが可能であるとともに、開口部を確実にがま口状に開封することが可能である。
【００３５】
また、本発明の請求項７記載の発明は、前記切欠き部は、前記ジッパの左右、かつ、上若しくは下に形成したことを特徴とするから、ジッパの左右かつ上若しくは下に形成された切欠き部にそれぞれ指を挿入し、前記開口部を片手で把持して開口操作することが可能である。さらには、ジッパの左右かつ上若しくは下部分を把持することにより、簡単に開口部をがま口状に開封することが可能である。
【００３６】
また、本発明の請求項８記載の発明は、前記切欠き部は、前記上部シールの上辺を含み切欠いたことを特徴とするから、開口部を片手で把持しやすい効果がある。
【００３７】
また、本発明の請求項９記載の発明は、前記注出口は、前記パウチの中心より下方に形成され、かつ、前記開口部および前記吊下げ孔は、前記パウチの中心より上方に形成されることを特徴とするから、パウチを吊下げても開口部が上方を向くため、パウチを吊下げた状態においても、開口部より安定した注入作業が可能である。
【００３８】
また、本発明の請求項１０記載の発明は、前記開口部に、該開口部を横切る切取り線を形成し、かつ該切取り線は、前記吊下げ孔上方のシール部上辺の延長線部分に形成したことを特徴とするから、初期開封後の開口部の上辺が、前記吊下げ孔上方のシール部上辺の高さと一致して、高い意匠性を奏するとともに、開口部の位置を認識し易い効果がある。
【００３９】
また、本発明の請求項１１記載の発明は、前記開口部に、該開口部を横切る切取り線を形成し、かつ該切取り線は、前記吊下げ孔上方のシール部上辺の延長線部分より上方に形成したことを特徴とするから、初期開封後の開口部が高く形成されて、開口部を片手で把持しやすい効果があるとともに、開口部の位置を認識し易い効果がある。
【００４０】
また、本発明の請求項１２記載の発明は、前記開口部の横幅は、５０ｍｍ〜１５０ｍｍの範囲であることを特徴とするから、開口部を片手で把持可能であるとともに、開口部をがま口状に開封することが可能である。
【００４１】
また、本発明の請求項１３記載の発明は、前記開口部の左右に形成された、前記僅かなシール幅は、５ｍｍ〜１０ｍｍの範囲であることを特徴とするから、開口部の左右側に適度な剛性を付与するとともに、開口部をがま口状に開封することが可能である。
【００４２】
また、本発明の請求項１４記載の発明は、前記ジッパは、側面視Ｖ字形状をなしており、下方の頂点部分に弱化部を有することを特徴とするから、初期開封前にジッパ内に内容物が進入してしまうことなく、ジッパ部分を清潔に保持することが可能である。
【００４３】
また、本発明の請求項１５記載の発明は、前記ジッパの下方に、弱シール部を形成したことを特徴とするから、初期開封前にジッパ内に内容物が進入してしまうことなく、ジッパ部分を清潔に保持することが可能である。
【００４４】
また、本発明の請求項１６記載の発明は、前記パウチは、自立性の形状からなるスタンドパウチであることを特徴とするから、パウチを机上に自立させた状態で、開口操作を行い内容物の希釈作業等を安定して行なうことが可能である。
【００４５】
また、本発明の請求項１７記載の発明は、前記スタンドパウチは、該スタンドパウチの下方に自立するための自立面を有するとともに、前記注出口は、前記スタンドパウチの中心より下方に形成され、かつ前記開口部および前記吊下げ孔は、前記スタンドパウチの上方に形成されることを特徴とするから、パウチを机上に自立させた状態で、開口操作を行い内容物の希釈作業等を安定して行なうことが可能であるとともに、パウチを吊下げても開口部が上方を向くため、パウチを吊下げた状態においても、開口部より安定した注入作業が可能である。
【発明を実施するための最良の形態】
【００４６】
本発明に係る注出口付きパウチ１０（パウチ１０）は、図１に示すように、後述する種々のフィルムを常法に従って積層し、その外周縁をヒートシール（熱接着）した、四方シール形式のパウチ１０に製袋したものである。そして、パウチ１０の右下部には、１つのコーナー部が角部を無くすように斜めにトリミングされ、例えば、図２に示すような、プラスチックの成形体からなる注出口５０の接着基部５２を、パウチ１０の積層フィルムの間に挿入して熱接着する方法で取り付けられている。この注出口５０としては、図２（ａ）に示すような、医療用に用いられる形状の注出口５０や、図２（ｂ）に示すような、飲料用に用いられる形状の注出口５０など、パウチ１０の使用用途に合わせて適宜選択可能であり、注出口５０の形状は限定されるものではない。
【００４７】
パウチ１０の中央には、予め所定の方法により内容物が充填され収容される未シール部からなる収容部３と、パウチ１０の上部シールには外部より水等を注入する際に、パウチ１０の一部を開封可能な空間からなる開口部７とを有している。そして、開口部７の上方部分には、該開口部７を水平方向に切断するための切取り線８とその両端にノッチ４が形成され、開口部７の下方部分には、該開口部７を横切って開閉封自在なジッパＪが、予めヒートシールにより形成されている。さらに、ジッパＪの下方には、開口部７と、収容部３とを、水平に区切る位置において、弱シールＰが形成されている。また、パウチ１０の、前記注出口５０の対角線位置には、パウチ１０を吊り下げて使用するための吊下げ孔６が形成されている。
【００４８】
特に、パウチ１０上方のシール部分（上部シール）には、シールの一部を切り欠いた切欠き部９が形成されており、後述する、切欠き部９に指を挿入することにより、開口部７を片手で把持してがま口状Ｇに開封することが可能である。よって、がま口状Ｇに開口した開口部７から飲料水等を注入する作業を容易かつ安定して行うことが可能である。
【００４９】
このような注出口付きパウチ１０は、通常、使用者の体内に予め先端部が挿入された供給チューブの他端に取り付けられた連結具を、注出口５０のノズル部分５５に係合することにより、流動食が供給チューブ内に流出し、患者等に投与される構成である。
そして、図３に示すように、図示しない供給チューブが、注出口５０に連結された状態の注出口付きパウチ１０を、前記吊り下げ用の吊下げ孔６を利用して、スタンドＳなどの吊り下げ用治具に吊り下げることにより、注出口５０が最下方に位置し下方を向くので、患者等に流動食を最後までスムーズに注出投与することができる。
【００５０】
そして、流動食の濃度を調整するとき、または、流動食を投与し終わった後、注出口付きパウチ１０を介して患者等に飲料水などの液体を投与する場合には、パウチ１０の開口部７の左右に形成された、前記ノッチ４を始点として、切取り線８に沿って開口部７を横切って引き裂きジッパを開封することにより、開口部７を容易に初期開封することができる。
【００５１】
そして、開口部７を開封後、開口部７に開口を形成する際、図４に示すように、開口部７の左右側を片手で保持して内側へと軽く押圧（点線）すると、開口部７が、がま口状Ｇに開口される構成である。よって、開口部７を片手で簡単に保持しつつがま口状の開口Ｇを形成することができるとともに、他方の手で薬缶等を持ち、飲料水等の液体を安全かつ衛生的に注入することが可能である。
【００５２】
特に、パウチ１０に形成された注出口５０は、パウチ１０の中心より下方に形成され、かつ、開口部７および吊下げ孔９は、パウチ１０の中心より上方に形成されており、パウチ１０を吊下げて使用する場合においても、常に開口部７が上方を向くため、開口部７からの注入作業を容易かつ安全に行なうことが可能である。
【００５３】
そして、飲料水などの注入後は、開口させた開口部７を、開閉封自在なジッパＪにより再度に閉封して、開口部７及び収容部３を密閉状態に保持することにより、雑菌などの混入を防ぐことができ、流動食と同様、衛生的且つスムーズに飲料水などを患者等に投与することができる。
【００５４】
このように、本発明の注出口付きパウチ１０は、開口部７を片手で保持可能であるとともに、片手で簡単に開口部７の開口を、がま口状Ｇに開くことができるため、飲料水等の液体を安全かつ衛生的に注入することが可能である。さらには、飲料水などの注入後、開口部７をジッパＪにより閉封することで、確実にパウチ１０を密閉することができる。よって、医療現場での使い勝手がよく、衛生面においても優れている。
【００５５】
次に、上記した本発明の注出口付きパウチ１０の構成を詳しく説明する。
パウチ１０の一例としては、図５に示すように、パウチ１０の中央部分には、内容物を収容する幅Ｘ、高さＹの空間からなる収容部３が、また、パウチ１０の右上部分には、外部から飲料水等を注入するための幅ｘ、高さｙの空間からなる開口部７が形成されている。
【００５６】
開口部７の横幅ｘは、収容部３の横幅Ｘより、小さく（ｘ＜Ｘ）形成されており、開口部７を片手で把持することが可能な幅ｘとなっている。開口部７の横幅としては、片手で開口部７を把持することが可能な幅であることが望ましく、５０ｍｍ〜１５０ｍｍの範囲内であることが望ましい。
【００５７】
そして、上部シールの略中央部分には、前記開口部７の左右に僅かなシール幅ａ、ｂを残して、シールの一部を切り取った形状からなる切欠き部９が形成されている。
この切欠き部９は、手の指が入る大きさの空間（切欠き部９）が形成されていればよく、切欠き部９の形状は、四角形状、円形状、楕円形状等、特に限定されるものではない。
【００５８】
また、開口部７の左右に形成した僅かなシール幅ａ、ｂは、片手で開口部７を内側へと押圧した際に、開口部の左右のシール部分が、容易に折れ曲ってしまうことがない程度の、シール幅ａ、ｂを有すれば良く、５ｍｍ〜２０ｍｍの範囲であることが望ましい。
【００５９】
そして、図５の場合は、切欠き部９を上部シールの略中央部分に形成することにより、開口部７を片手で把持することが可能である。すなわち、切欠き部９は、吊下げ孔６と前記開口部７との間に形成されており、この切欠き部９に指を挿入して、開口部７の左右のシール部分を把持しつつ、内側へと軽く押圧することにより、図４に示すように、開口部７をがま口状Ｇに開封することが可能である。
【００６０】
よって、飲料水等の液体を、がま口状Ｇの開口部７より安全かつ衛生的に注入することができる。また、注入後において、開口部７に形成されたジッパＪを閉封することにより、開口部７および収容部３を確実に密閉することができる。さらには、ジッパＪの下方に弱シールＰが形成されているため、初期開封前において、内容物がジッパＪ内に進入し付着することを防ぎ衛生的である。
【００６１】
このように、本発明のパウチは、内容物が予め収容される収容部３と、外部より飲料水等を注入するための開口部７とを有し、かつ前記開口部７に開閉封自在なジッパＪを有する注出口付きパウチであって、前記開口部の左右に僅かなシール幅を残し、前記シールの一部を切り取った形状からなる切欠き部９を形成することにより、開口部７の左右両側を内側へと押圧すると、開口部７が、がま口状の開口Ｇを形成するため、開口部７から水等を安全かつ清潔に注入することが可能である。また、開口部７と、収容部３との間にジッパＪを形成することにより、外部から開口部７へと水等を注いだ後、再度パウチ１０を密閉することができるため、ごみや塵などが、パウチ１０内へと入り込むことを防ぐ効果がある。
【００６２】
以下に、本発明のパウチの別の形態を、いくつかの実施例とともに示す。
【００６３】
（実施例１）
本発明の注出口付きパウチ１０は、図６に示すように、パウチ１０の上部中央に、開口部７を形成し、かつジッパＪ部分を含む開口部７の左右側の上シール部を切り欠いた、切欠き部９を形成しても良い。
【００６４】
すなわち、パウチ１０の上部シールの上辺部分を含む、左側及び右側部分に、それぞれ切欠き部９，９を形成することにより、高さＴを有する開口部７を形成し、該開口部７を片手で把持しつつがま口状に開封することが可能である。
【００６５】
この場合、パウチ１０上部かつ中央に、収容部３の横幅より小さい幅からなる開口部７を形成する。そして該開口部７の中央高さにジッパＪを形成し、さらにジッパＪの下方に、空間を介して弱シールＰを形成する。そして、開口部７の左右側にそれぞれ僅かなシール幅ａを残して、開口部７の左右両側のシール部分を切り欠いた形状からなる切欠き部９，９をそれぞれ形成する。そして、収容部３に形成されたコーナーの一部にシール部Ｋを形成し、該シール部分Ｋにパウチを吊り下げるための吊下げ孔６を形成する。
【００６６】
特に、上部シールの左右側にそれぞれ形成された切欠き部９，９は、ジッパＪの左右側に及んでおり、通常ジッパＪ部分は、フィルムの厚みが増すため、フィルム強度が高くなっている。よって、強度の高い部分に切欠き部９を形成することが可能であるとともに、切欠き部９に力を加えやすくなる効果がある。よって、開口部７を安定して把持することができるとともに、開口部７の左右を強く押圧して、がま口状の開口部を安定して形成することが可能である。
【００６７】
また、ジッパＪの下方には、僅かな空間を介して弱シールＰが形成されており、ジッパＪを開封後、弱シールＰを開封することにより、初めて開口部７と収容部３とが内部において通じるため、初期開封前において、ジッパＪへの内容物の進入および付着を防ぐことが可能である。
【００６８】
（実施例２）
本発明の注出口付きパウチ１０は、図７に示すように、パウチ１０の上部右側に、開口部７を形成し、かつ該開口部７の左右側に、それぞれ僅かなシール幅ａを残して、左側のシール部分を逆Ｌ字状に切り欠いた形状の切欠き部９としても良い。
【００６９】
すなわち、パウチ１０の上部シールの上辺部分を含む左側に、切欠き部９を形成することにより、高さＴを有する開口部７を形成し、該開口部７を片手で把持しつつがま口状に開封することが可能である。
特に、開口部７を横切り水平に形成された切取り線８は、吊下げ孔６上方のシール部上辺の延長線部分に形成されており、この切取り線８を切除すると、吊下げ孔６上方のシール部上辺と、開口部７の上辺とが一直線となるため、初期開封後も高い意匠性を奏しつつ、使用感の良いパウチを提供することが可能である。
【００７０】
この場合、パウチ１０上部かつ右側に、収容部３の横幅より小さい幅からなる開口部７を形成する。そして該開口部７の中央高さにジッパＪを形成する。そして、開口部７の左右にそれぞれ僅かなシール幅ａを残して、上部シール左側のシールの一部を切り取った切欠き部９を形成する。特に、開口部７の左側には、開口部７の上辺の高さよりｃだけ低いシールを形成し、該シール部の略中央に、パウチ１０を吊り下げるための吊下げ孔６を形成する。
【００７１】
このように構成することにより、パウチ１０の開口部７を片手で把持しやすくなるとともに、開口部７をがま口状に開くことが容易に可能となり、飲料水等を安定かつ衛生的に注ぐことが可能となる。特に、ジッパＪの左右を把持することができるため、開口部７を強く把持することが可能である。
【００７２】
（実施例３）
本発明の注出口付きパウチ１０は、図８に示すように、パウチ１０の上部右側に、開口部７を形成し、かつ該開口部７の左右側にそれぞれ僅かなシール幅ａを残して、左側のシール部分を、逆Ｌ字状に切り欠いた切欠き部９を形成しても良い。
【００７３】
すなわち、パウチの上部シールの上辺部分を含む左側に、切欠き部９を形成することにより、高さＴを有する開口部７を形成し、開口部７を片手で把持しつつがま口状に開封することが可能である。
特に、開口部７を横切り水平に形成された切取り線８は、吊下げ孔６上方のシール部上辺の延長線部分より上方に形成されており、切取り線８を切除すると、吊下げ孔６上方のシール部上辺より、開口部７の上辺が高い位置となるため、開口部７を把持しやすくなる効果がある。
【００７４】
この場合、パウチ上部かつ右側に、収容部３の横幅より小さい幅からなる開口部７を形成する。そして該開口部７の中央高さにジッパＪを形成する。そして、開口部７の左右にそれぞれ僅かなシール幅ａを残して、シールの一部を切り取った切欠き部９を形成する。特に、開口部７の左側には、開口部７の高さより高さｃだけ低いシール部分を残し、該シール部の略中央に、パウチ１０を吊り下げるための吊下げ孔６を形成する。
【００７５】
このように構成することにより、パウチ１０の開口部７を片手で把持しやすくなるとともに、開口部７をがま口状に開くことが容易に可能となり、飲料水等を安定かつ衛生的に注ぐことが可能となる。特に、ジッパの左右側を把持することができるため、開口部を強く把持することが可能である。
【００７６】
（実施例４）
本発明の注出口付きパウチ１０は、図９に示すように、パウチ１０の上部中央に、開口部７を形成し、かつ該開口部７の左右側に、それぞれ僅かなシール幅ａを残して、円形状の孔からなる切欠き部９、９を形成しても良い。
【００７７】
すなわち、前記パウチ１０の上部シールの左側及び右側部分に、それぞれ円形状からなる切欠き部９、９を形成することにより、開口部７を片手で把持しつつがま口状に開封することが可能である。特に、パウチ１０の上部シールの上辺部分を含むことなく、シールの一部に切欠き部９，９を形成しても良く、片手の指を切欠き部９，９に挿入して、開口部を把持することが可能である。
【００７８】
この場合、パウチ上部の中央右寄りに、収容部３の横幅より小さい幅からなる開口部７を形成する。そして該開口部７の下方部分にジッパＪを形成し、さらにジッパＪの下方部分に弱シールＰを形成する。そして、開口部７の左右側に、それぞれ僅かなシール幅ａを残して、円形状の孔からなる切欠き部９、９を形成する。そして、前記切欠き部９のさらに左側には、パウチを吊り下げるための吊下げ孔６を形成する。
【００７９】
このように、切欠き部９として、指が入る程度の円形状からなる孔とすることにより、１つの孔に人差し指を挿入し、他方の孔に親指を挿入して、指先を内側へと折り曲げる動作で簡単に、開口部７をがま口状に開くことが可能である。
【００８０】
（実施例５）
本発明の注出口付きパウチ１０は、図１０に示すように、パウチ上部の中央に、開口部７を形成し、かつ該開口部７の左右側に、それぞれ僅かなシール幅ａを残して、他のシール部分の一部に形成した孔からなる切欠き部９とし、該切欠き部は、ジッパの左右で高さが異なっても良い。
【００８１】
すなわち、ジッパＪの左右、かつ、上若しくは下に、それぞれ円形状からなる切欠き部９、９'を形成することにより、開口部７を片手で把持しつつがま口状に開封することが可能である。特に、ジッパの対角線を把持することにより、開口部をがま口状に開封する際に、がま口形状を簡単に形成することができる効果がある。
【００８２】
この場合、パウチ上部かつ中央右寄りに、収容部３の横幅より小さい幅からなる開口部７を形成する。そして該開口部７の中央下寄りの高さにジッパＪを形成する。そして、開口部７の左側かつジッパの上側に、僅かなシール幅ａを残して、円形状の孔からなる切欠き部９を形成し、また、開口部７の右側かつジッパＪの下側に、僅かなシール幅ｂを残して、円形状の孔からなる切欠き部９'を形成する。そして、前記切欠き部９のさらに左側には、パウチを吊り下げるための吊下げ孔６を形成する。
【００８３】
このように構成することにより、切欠き部９、９'を把持した際に、ジッパＪの対角線上を把持することとなり、開口部７をがま口状に開口しやすくなる効果がある。
【００８４】
（実施例６）
本発明の注出口付きパウチ１０は、図１１に示すように、開口部７を、パウチ１０上部の左側に形成し、かつ開口部７の左側に、僅かなシール幅ａを残して、シールの一部を円形状に切り取った形状からなる切欠き部９を形成し、かつ、開口部７の右側は、僅かなシール幅ｂを残して、シール部分を取り除いた形状であっても良い。さらには、パウチの下部が自立可能なスタンドパウチの形状Ｄであっても良い。また、左側の切欠き部９は、切欠き部９と同時に吊下げ孔６として用いても良い。
【００８５】
すなわち、スタンドパウチ１０の、上部シールの上辺部分を含む右側に、切欠き部９を形成することにより、開口部７を片手で把持しつつがま口状に開封することが可能である。特に、開口部７の左側に形成された切欠き部９は、吊下げ孔６として用いることも可能であり、吊下げ孔６に指を挿入して、開口部７を片手で把持してがま口状の開口を形成することが可能である。
【００８６】
この場合、パウチ上部かつやや左寄りに開口部７を形成し、該開口部７の中央高さ位置にジッパＪを形成する。そして、開口部７の左側に、僅かなシール幅ａを残して、シールの一部を切り取った円形状からなる切欠き部９（吊下げ孔６）を形成する。また、開口部７の右側に、切欠き部９を形成する。特に、前記切欠き部９は、通常より僅かに大きな円形状とすることにより、パウチを吊り下げる吊下げ孔６として用いることが可能である。
【００８７】
また、パウチ１０の下部を、自立可能な自立面Ｄとすることにより、図１２に示すように、パウチ１０自身を自立させた状態で、開口部７を開封可能なパウチ１０を提供することが可能である。
【００８８】
特に、スタンドパウチ１０の下方に自立面Ｄを形成するとともに、前記注出口５０は、前記スタンドパウチ１０の中心より下方に形成され、かつ前記開口部７および前記吊下げ孔６は、前記スタンドパウチの上方に形成されるから、スタンドパウチ１０の自立時、吊下げ時にかかわらず、常に開口部７を上方に向けることが可能であり、開口部７からの注入作業を安全かつ容易に行なうことが可能である。
【００８９】
次に、パウチ１０の開口部７に形成されたジッパＪについて説明する。ジッパＪの一例としては、図１３（ａ）に示すように、互いに凹凸嵌合することでジッパＪを開閉封自在とする、凹部７１と凸部７３とを有し、かつ前記凹部７１と前記凸部７３との間に弱化部７２を形成した平面形状のジッパＪを、図１３（ｂ）に示すように、前記弱化部７２を頂点とするＶ字状に折ることで、凸部７３と凹部７１とが対向するように配置した、側面視Ｖ字形状のジッパＪであっても良い。
【００９０】
このジッパＪは開口部７の内側に熱接着して取り付け、凸部７３と凹部７１との嵌合または解離により、開口部７の開閉を容易に且つ繰り返し行えるようにすることが可能である。特に、ジッパに弱化部７２が形成されていることにより、前記弱シールＰを別途形成することなく、弱化部７２を備えるジッパＪ部材のみで、初期開封前にジッパＪ内に内容物が進入してしまうことを防ぎ、常にジッパＪ部分を清潔に保つことが可能である。
また、前記弱化部７２を有するジッパＪと、前記弱シールＰとの、両方を形成することにより、密封性や信頼性の更なる向上を奏することが可能である。
【００９１】
すなわち、弱化部７２を有する側面視Ｖ字形状を有するジッパＪは、図１４に示すように、パウチ１０の初期開封前において、下方の内容物が上昇してジッパＪの凹凸部分に進入してしまうようなことを防ぐことができるため、ジッパＪ内を常に衛生的に保つことが可能である。また、初期開封時には、図１５に示すように、ジッパＪの開封に伴い、弱化部７２を簡単に切断して開封することが可能である。
【００９２】
以上のように、本発明のパウチ１０は、上部シールに切欠き部９を形成することにより、開口部７を片手で容易に把持することが可能であるとともにがま口状に開口部を開封することが可能であるから、飲料水等を開口部７から、安全かつ清潔に注入することが可能である。また、開口部７は、ジッパＪにより確実に密閉されるため、ごみや塵などの混入の恐れを防ぐことが可能である。
【００９３】
さらには、パウチ１０に形成された前記注出口５０は、前記パウチ１０の中心より下方に形成され、かつ、前記開口部７および前記吊下げ孔６は、前記パウチ１０の中心より上方に形成されるから、パウチ１０を吊下げて使用する場合においても、開口部７が常に上方を向くため、開口部７からの注入作業を容易に行なうことが可能である。
【００９４】
スタンドパウチ１０においては、該スタンドパウチ１０の下方に自立面Ｄを有するとともに、前記注出口５０は、前記スタンドパウチ１０の中心より下方に形成され、かつ前記開口部７および前記吊下げ孔６は、前記スタンドパウチ１０の上方に形成されるから、スタンドパウチ１０の自立時、吊下げ時にかかわらず、常に開口部７を上方に向けることが可能であり、開口部７からの注入作業を安全かつ容易に行なうことが可能である。
【００９５】
また、開口部７に形成されたジッパＪを、側面視Ｖ字形状を有し、頂点に弱化部７２を有するジッパＪとすることにより、簡単な構成により、初期開封前にジッパＪ内に内容物が進入してしまうことなく、常にジッパＪ部分を清潔に保つことが可能である。
【００９６】
本発明の注出口付きパウチ１０に用いるフィルムは、主にプラスチックフィルムを主体とする積層フィルムが用いられ、例えば、液体を含む各種食品用パウチに用いられている従来公知の積層フィルムを用いることができ、特に限定されるものではない。積層フィルムの構成は、充填される流動食の種類や充填後の加圧加熱殺菌時に加えられる加熱条件などによって適宜選定することができる。
例えば、本発明の注出口付きパウチ１０に好適に用いられる積層フィルムとして、下記のような構成の積層フィルムが挙げられる。
(1) ＰＥＴフィルム／接着剤／アルミニウム箔／接着剤／ＯＮフィルム／接着剤／ＣＰＰフィルム（シーラント層）
(2) ＰＥＴフィルム／接着剤／ＯＮフィルム／接着剤／アルミニウム箔／接着剤／ＣＰＰフィルム（シーラント層）
(3) ＰＥＴフィルム／接着剤／ＥＶＯＨフィルム／接着剤／ＯＮフィルム／接着剤／ＣＰＰフィルム（シーラント層）
(4) ＰＥＴフィルム／接着剤／一軸延伸ＰＰフィルム／接着剤／アルミニウム箔／接着剤／ＣＰＰフィルム（シーラント層）
(5) ＰＥＴフィルム／接着剤／（シリカまたはアルミナ蒸着層）ＯＮフィルム／接着剤／ＣＰＰフィルム（シーラント層）
などが挙げられるが、これらに限定されるものではなく様々な組み合わせの積層フィルムを使用することができる。
【００９７】
上記構成において、ＰＥＴフィルムは２軸延伸ポリエチレンテレフタレートフィルム、ＯＮフィルムは２軸延伸ナイロンフィルム、ＰＰフィルムはポリプロピレンフィルム、ＣＰＰフィルムは無延伸ポリプロピレンフィルム、ＥＶＯＨフィルムはエチレン−酢酸ビニル共重合体ケン化物フィルム、（シリカまたはアルミナ蒸着層）ＯＮフィルムはシリカまたはアルミナを蒸着した２軸延伸ナイロンフィルムを指すものである。
【００９８】
前記ＰＥＴフィルムやＯＮフィルムは、基材フィルムとして作用し、パウチに機械的強度のほか耐熱性、印刷適性などを付与する。また、中間層のアルミニウム箔、ＥＶＯＨフィルム、（シリカまたはアルミナ蒸着層）ＯＮフィルムは、パウチ１０にガスバリヤー性を付与している。一軸延伸ＰＰフィルムは、本発明の注出口付きパウチ１０では、その延伸方向がパウチ１０の開口部７を開封するための切取り線８の方向と一致するように積層することにより、開口部７を初期開封する際、切取り線８に沿って容易に引き裂いて開封できるようになる。
【００９９】
そして、最内層のＣＰＰフィルムは、ヒートシール用のシーラント層として作用すると共に、耐熱性、低臭性に優れるので、本発明のような内容物の充填、密封後に、パウチ１０ごと加圧加熱殺菌される流動食用のパウチ１０には好ましく用いられる。尚、上述した各フィルム材と同様な作用効果を有するものであれば、前記の積層構成に限定されるものではなく、適宜変更して使用することができる。
【０１００】
また、パウチ１０の、流動食等の内容物を収容するための前記収容部の容量としては、患者等への１回の摂取量を考慮した場合、３００ｍｌから５００ｍｌほどの容量を有する空間であることが望ましく、直方体の形状からなる収容部３とした場合、収容部３の幅Ｘは３０ｃｍ前後、高さＹは２０ｃｍ前後の大きさが望ましい。
また、外部から水等を注入するための開口部７の大きさとしては、該開口部７を片手で把持できる程度の高さｙ、幅ｘを有すれば良く、また、開口部７の高さｙは、片手で把持するための十分な高さを有すれば良く、例えば、開口部の高さｙとしては、５ｃｍ前後、幅ｘは、１０ｃｍ前後が望ましい。
【０１０１】
本発明の注出口付きパウチ１０の製造方法としては、基本的にはパウチ形式に応じて、それに対応する製袋機を利用し、それに必要な加工装置を付加することにより容易に製造することができる。また、上記例で示した注出口付きパウチ１０は、四方シール形式のパウチ１０を示したが、これに限らず、ガセット形式のパウチ１０であっても良い。
【０１０２】
パウチ１０の上下左右の外周縁各部のヒートシール部は、既設のヒートシール装置のシールヘッドの形状のみをそれぞれのシールパターンに合わせて変更することによりヒートシールすることができる。また、開口部７を開封するための切取り線８は、これを印刷で形成する場合は、パウチ本体の印刷と同時に印刷できるので特に追加装置を必要としないが、これと組み合わせてノッチ、ハーフカット線などを設ける場合は、これらを加工するための打ち抜き装置、レーザー光照射装置などを適宜追加して加工することができる。
【０１０３】
また、本発明の注出口付きパウチ１０の開口部７の内側に取り付けられるジッパーＪは、前記熱接着性樹脂層との熱接着性および加圧加熱殺菌に耐える耐熱性が必要であり、単独の樹脂では、ポリプロピレンを成形したものを用いることができ、また、４−メチルペンテン−１とプロピレンの共重合体、或いは、４−メチルペンテン−１の重合体とポリプロピレンなどとのブレンド樹脂を成形したものも用いることができる。
【０１０４】
また、パウチ１０に取り付けられる注出口５０についても同様に熱接着性樹脂層との熱接着性、および加圧加熱殺菌する場合は、それに耐える耐熱性が必要であり、ポリプロピレンのほか、中密度または高密度ポリエチレン、ポリエステル、ポリカーボネートなどを射出成形した注出口を使用することができる。
【図面の簡単な説明】
【０１０５】
【図１】本発明の注出口付きパウチの一例を示す説明図である。
【図２】（ａ）（ｂ）注出口の一例を示す図である。
【図３】本発明の注出口付きパウチの使用例を示す図である。
【図４】本発明の注出口付きパウチの、開口部を片手で把持しつつ、がま口状に開封した例を示す説明図である。
【図５】本発明の注出口付きパウチの一例を示す図である。
【図６】本発明の注出口付きパウチの別の例を示す図である。
【図７】本発明の注出口付きパウチの別の例を示す図である。
【図８】本発明の注出口付きパウチの別の例を示す図である。
【図９】本発明の注出口付きパウチの別の例を示す図である。
【図１０】本発明の注出口付きパウチの別の例を示す図である。
【図１１】本発明の注出口付きパウチの別の例を示す図である。
【図１２】スタンドパウチの自立時を示す説明図である。
【図１３】（ａ）（ｂ）ジッパの一例を示す図である。
【図１４】本発明の注出口付きパウチの別の例を示す図である。
【図１５】ジッパの開封時を示す説明図である。
【図１６】従来のパウチ（スタンドパウチ）を示す図である。
【図１７】従来のパウチ（スタンドパウチ）を吊下げた場合の一例を示す図である。
【符号の説明】
【０１０６】
３  収容部
６  吊下げ孔
７  開口部
８  切取り線
９  切欠き部
１０  注出口付きパウチ（パウチ）（スタンドパウチ）
５０  注出口
５２  接着基部
５５  ノズル
７１  凹部
７２  弱化部
７３  凸部
Ｇ  がま口状（がま口状の開口）
Ｊ  ジッパ
Ｐ  弱シール
【図１】
2007314245.tif 000003
【図２】
2007314245.tif 000004
【図３】
2007314245.tif 000005
【図４】
2007314245.tif 000006
【図５】
2007314245.tif 000007
【図６】
2007314245.tif 000008
【図７】
2007314245.tif 000009
【図８】
2007314245.tif 000010
【図９】
2007314245.tif 000011
【図１０】
2007314245.tif 000012
【図１１】
2007314245.tif 000013
【図１２】
2007314245.tif 000014
【図１３】
2007314245.tif 000015
【図１４】
2007314245.tif 000016
【図１５】
2007314245.tif 000017
【図１６】
2007314245.tif 000018
【図１７】
2007314245.tif 000019